(57)【要約】      （修正有）【課題】スーツケースのブレーキ装置の構造を提供する。【解決手段】主に車輪１１、コントローラー３０、コントロールケーブル３９で構成するスーツケースのブレーキ装置の構造である。該スーツケースに車輪１１を繋止する装置を設け、車輪を繋止する装置にある車輪は定位歯１２、繋止部品２５、繋止歯２６を有する。繋止部品２５は連動軸２１、固定ボード２０、連動ボード２２、コントロールケーブル、コントローラーと接続する。コントローラーをボックス状に設け、中にツマミ、ボタン、駆動ブロック３２、歯車３４、解除ブロック３５を設け、駆動ブロック３５はコントロールケーブル３９と連結する。コントローラーのツマミ、ボタン、駆動ブロックを介してコントロールケーブル３９が繋止部品２５を作動し、繋止部品の繋止歯２６が車輪の定位歯１２を繋止するため、車輪を定位することになり、便利に操作コントロールすることができる。【選択図】図１
0003175996.tif 000002
【実用新案登録請求の範囲】
【請求項１】
車輪、コントローラー、コントロールケーブルを含み、
基台の車輪に定位歯を設け、該基台に固定ボードを設け、該固定ボードに下向きに基台を貫通する連動軸を設け、連動軸の下端に繋止部品を設け、繋止部品は車輪の定位歯に対応する繋止歯を有し、固定ボードに支点台を設け、支点台に角度が変わる連動ボードを設け、連動ボードの下方にスプリング及びコントロールケーブルを設け、
スーツケースの上方の設定場所にコントローラーを設け、コントローラーはツマミ、ボタンを有し、ツマミはコントロールケーブルと連結し、ツマミを回すとコントロールケーブルが張り詰めた状態になり、連動ボード、連動軸、繋止部品が下向きに動いて、繋止部品の繋止歯が車輪の定位歯と掛合して車輪が転がらなくなり、
ボタンを押すとコントロールケーブルが緩み、繋止部品の繋止歯が車輪の定位歯から離れて車輪が転がることを特徴とするスーツケースのブレーキ装置。
【請求項２】
前記コントローラーを一つのボックス状に設け、中にツマミ、ボタン、駆動ブロックを設け、駆動ブロックは歯列及び歯車を有し、歯車をツマミと連結し、歯列と噛合し、駆動ブロックはコントロールケーブルと連結し、
駆動ボックスの片側に解除ブロックを設け、解除ブロックの中に斜面を有し、解除ブロックは凸柱を有し、凸柱を駆動ブロックに挿入して動きを阻止するとともに、
解除ブロックの上方に斜面を設けたボタンを設け、ボタンを押すと斜面が解除ブロックの斜面を押して解除ブロックが作動することを特徴とする請求項１記載のスーツケースのブレーキ装置。
【考案の詳細な説明】
【技術分野】
【０００１】
本考案はスーツケースのブレーキ装置の構造に関し、その技術の特徴はスーツケースの車輪は手でツマミやボタンを操作することができ、車輪をロック或いはロック解除をすることができ、便利に使用できるスーツケースのブレーキ装置の構造に関する。
【背景技術】
【０００２】
従来技術のスーツケースの車輪はほぼブレーキ装置を設置していないため、不適切な際に滑るなどの問題が生じる。また、従来技術のスーツケースの車輪ブレーキとはいずれも車輪に足で踏んでブレーキをかけ、手で押し上げてブレーキを解除する「ブレーキの柄」を設けていた。ブレーキをかけるという目的に達するが、ブレーキを解除するには、ユーザーが地面の近くにある車輪にまで腰を屈めて、手で解除をする必要があるため大変不便であり、特に年配の方、或いは人ごみの中で使用するのは不便であることを鑑みて、更なる改善が必要であった。
【考案の概要】
【考案が解決しようとする課題】
【０００３】
前記公知構造の欠点を解決するため、本考案はコントローラーを設置し、コントローラーにツマミ及びボタンを設置し、ツマミを回す及びボタンを押すだけでブレーキをかける及び解除することができるスーツケースのブレーキ装置の構造を提供することを主な課題とする。
【課題を解決するための手段】
【０００４】
前記課題を解決するために、本考案はスーツケースのブレーキ装置の構造を提供するものである。主に該車輪に定位歯、繋止部品、繋止歯、連動棒、連動ボード、コントロールケーブルを設け、更にスーツケースにコントローラーを設け、該コントローラーにツマミ、ボタン、歯車、駆動ブロックを具有し、駆動ブロックはコントロールケーブルと連結する。よって、ボックス本体のコントローラーのツマミを回すだけで、繋止部品の繋止歯を車輪の定位置に繋止することができる。コントローラーのボタンを押すだけで、繋止を解除するため、素早く目的に達し、便利に使用できるスーツケースのブレーキ装置の構造。
【考案の効果】
【０００５】
本考案はコントローラーを設け、コントローラーにツマミ及びボタンを設置し、ツマミを回す及びボタンを押すだけでブレーキをかける及び解除することができ、素早く目的に達し、便利に使用できる。
【図面の簡単な説明】
【０００６】
【図１】本考案の立体分解図である。
【図２】本考案の車輪を緩めた際のコントローラーの状態断面図である。
【図３】本考案の車輪を緩めた際の状態断面図である。
【図４】本考案の車輪を繋止した際のコントローラーの状態断面図である。
【図５】本考案の車輪を繋止した際の状態断面図である。
【図６】本考案の第二実施例の断面図である。
【考案を実施するための形態】
【０００７】
図１、図２、図３、図４、図５に示すように、基台１０の車輪１１に定位歯１２を設け、該基台１０及び軸カバー１３の上に固定ボード２０を設け、該固定ボード２０に下向きに基台１０を貫通する連動軸２１を設ける。連動軸２１の下端に繋止部品２５を設け、繋止部品２５は車輪１１の定位歯１２に対応する繋止歯２６を具有する。固定ボード２０に支点台２３を設け、支点台２３に角度が変わる連動ボード２２を組成する。連動ボード２２の下方にスプリング２４及びコントロールケーブル３９を設ける。また、スーツケース１４の上方の設定場所にコントローラー３０を設け、コントローラー３０を一つのボックス３１状に設け、中にツマミ３４０、ボタン３８のほか、更に駆動ブロック３２を設ける。駆動ブロック３２は歯列３３及び歯車３４を具有し、歯車３４をツマミ３４と連結し、及び歯列３３と噛合する。駆動ブロック３２はコントロールケーブル３９と連結する。また、駆動ブロック３２の一辺に解除ブロック３５を設け、解除ブロック３５の中に斜面３７を具有する。解除ブロック３５は凸柱３６を具有し、それを駆動ブロック３２に挿入して動きを阻止することができる。解除ブロック３５の上方に斜面３８０を具有するボタン３８を設け、ボタン３８を押すことで斜面３８０が解除ブロック３５の斜面３７を押すため、解除ブロック３５が作動する。また、更に蓋３１０を用いてボックス３１を閉じることで、解除ブロック３５、駆動ブロック３２が外に飛び出ないようにする。
【０００８】
上述の構造及び装置により、当該作用及び効果を下記のように詳細説明する。図２、図３に示すように、車輪１１を緩めた状態のとき、駆動ブロック３２は前端の位置にあり、該コントロールケーブル３９は張り詰めた状態ではないため、連動軸２１はスプリング２４と共に当該弾力により上向きの状態となる。即ち繋止部品２５の繋止歯２６が車輪１１の定位歯１２から離脱するため、車輪１１が転がる。ブレーキをかけたい場合、図４、図５に示すように、ツマミを回して歯車３４を回転させると、歯列３３が動き、駆動ブロック３２を後退させる。即ちコントロールケーブル３９をきつく張り詰めた状態にすることで、連動ボード２２が下向きに押し、それによって連動軸２１及び繋止部品２５が下向きに動くため、繋止歯２６が車輪１１の定位歯１２と掛合して車輪１１が転がらなくなる。再度ブレーキを解除したい場合、図２及び図３に示すように、ボタン３８を押すと、ボタン３８の斜面３８０(図１を参照)は解除ブロック３５の斜面３７を押すことで解除ブロック３５が後退し、該凸柱３６も後退して駆動ブロック３２から離れる。駆動ブロック３２はスプリングの弾力によって元の場所に戻りコントロールケーブル３９を緩め、連動ボード２２も連動軸２１を押さないため、繋止部品２５の繋止歯２６が動いて車輪１１の定位歯１２から離脱する。
【０００９】
上記の説明のように、本考案は指でコントローラー３０のツマミ３４０、ボタン３８を操作するだけで車輪を繋止したり、車輪を緩めたりする目的に達し、腰を屈めて操作する必要がなく、極めて簡単に、便利に素早く使用することができる。また、前記の技術に基づき、本考案は図６に示すようなダブル車輪タイプの車輪とすることもでき、ダブル車輪１１の中に定位歯１２を設け、繋止部品２５の繋止歯２６で繋止することができる。
【符号の説明】
【００１０】
１０    基台
１１    車輪
１２    定位歯
１３    軸カバー
１４    スーツケース
２０    固定ボード
２１    連動軸
２２    連動ボード
２３    支点台
２４    スプリング
２５    繋止部品
２６    繋止歯
３０    コントローラー
３１    ボックス
３１０  蓋
３２    駆動ブロック
３３    歯列
３４    歯車
３５    解除ブロック
３６    凸柱
３７、３８０  斜面
３８    ボタン
３９    コントロールケーブル
３４０  ツマミ
【図１】
0003175996.tif 000003
【図２】
0003175996.tif 000004
【図３】
0003175996.tif 000005
【図４】
0003175996.tif 000006
【図５】
0003175996.tif 000007
【図６】
0003175996.tif 000008